(57)【要約】【課題】  複数の電線端末に対して両側から導電板が当たり導通面積が倍加するようにしたものであっても、それらの導電板は、外側から別体のバネ材によって中央側へ向けて付勢されるので、その押し圧力は大きくなり、接触状態が維持される。【解決手段】   導電具と、バネ具とは、左右一対の導電板の夫々の外側に夫々バネ材が位置し、導電具底部の外側にバネ具底部が位置する状態にしてあり、しかも導電具も、バネ具も共に導電板相互の間隔と、バネ材相互の間隔が夫々電線挿入口側が窄められ、電線端末が挿入口側から左右一対の導電板の内側に挿入された場合には、導電板相互の間隔が、導電板の夫々の外側に位置して窄める力を備えるバネ材の力に抗して押し広げられ、左右一対の導電板はバネ材の両側からの窄める力を受けて電線端末の両側に密着するようにしてある。【選択図】    図１
2006032113.tif 000002
【特許請求の範囲】
【請求項１】
対向状に配置された左右一対の導電板とそれらの導電板における夫々の底部側相互を連結する円弧状に形成されている導電具底部とからなる導電具と、
対向状に配置された左右一対のバネ材とそれらのバネ材における夫々の底部側相互を連結する円弧状に形成されているバネ具底部とからなるバネ具とを備え、
上記導電具と、バネ具とは、左右一対の導電板の夫々の外側に夫々バネ材が位置し、導電具底部の外側にバネ具底部が位置する状態にしてあり、しかも上記導電具も、バネ具も共に導電板相互の間隔と、バネ材相互の間隔が夫々電線端末の受入部側が窄められ、電線端末が受入部側から上記左右一対の導電板の内側に挿入された場合には、導電板相互の間隔が、上記導電板の夫々の外側に位置して窄める力を備えるバネ材の力に抗して押し広げられ、上記左右一対の導電板はバネ材の両側からの窄める力を受けて電線端末の両側に密着するようにしてあることを特徴とする電線コネクタ。
【請求項２】
絶縁材料で中空筒状に形成されている絶縁キャップと、
対向状に配置された左右一対の導電板とそれらの導電板における夫々の底部側相互を連結する円弧状に形成されている導電具底部とからなる導電具と、
対向状に配置された左右一対のバネ材とそれらのバネ材における夫々の底部側相互を連結する円弧状に形成されているバネ具底部とからなるバネ具とを備え、
上記導電具と、バネ具とは、左右一対の導電板の夫々の外側に夫々バネ材が位置し、導電具底部の外側にバネ具底部が位置する状態で、絶縁キャップの中空筒状部に収納してあり、
絶縁キャップ内の収納状態においては上記導電具も、バネ具も絶縁キャップの開口部側が窄められ、電線端末が開口部側から上記左右一対の導電板の内側に挿入された場合には、導電板相互の間隔が、上記導電板の夫々の外側に位置して窄める力を備えるバネ材の力に抗して押し広げられ、上記左右一対の導電板はバネ材の両側からの窄める力を受けて電線端末の両側に密着するようにしてあり、
さらに、バネ具の一部からは、
左右一対の導電板の内側に挿入される電線端末に向け、上記導電具を貫通させた状態で、バネ具と一体材で形成される抜止バネ片を突出させ、抜止バネ片の先端を上記電線端末に押し当てて電線端末の抜止めを施すようにしてあることを特徴とする電線コネクタ
【請求項３】
上記左右一対の導電板における少なくとも一方の導電板の側には上下方向に長い挿通孔を設け、 上記左右一対のバネ材における少なくとも一方のバネ材の側には、バネ材の側の一部を内側に向けて切り起こして形成された抜止バネ片を備えさせ、左右一対の導電板の夫々の外側に夫々バネ材を位置させ、導電具底部の外側にバネ具底部を位置させた状態では、上記バネ材の側の一部を内側に向けて切り起こして形成された抜止バネ片が、上記上下方向に長い挿通孔を通して導電具の内側に位置し、抜止バネ片の先端が、導電具の内側に挿入される電線端末に押し当たって電線端末の抜止めを施すようにしてあることを特徴とする請求項１記載の電線コネクタ。
【請求項４】
上記絶縁材料で中空筒状に形成されている絶縁キャップの内側においては、キャップの開口部から底側に向かう途中の両側に対し、中心部に向けて張り出すガイド片を備えさせ、そのガイド片の底側における収納室には、導電具の外側にバネ具が位置する状態に構成されている導電器具を、導電具の開口部の側がガイド片の側に位置する状態で存置させ、上記ガイド片のキャップ開口部の側は、キャップ開口部から上記導電器具に向けて挿入される電線端末を導電具の開口部に向けて案内できるように傾斜面に形成してあることを特徴とする請求項２記載の電線コネクタ。
【発明の詳細な説明】
【技術分野】
【０００１】
本願は、屋内電気配線工事において、分岐結線に用いる差込形の電線コネクタの構造に関する。
【背景技術】
【０００２】
従来の差込形の電線コネクタは、固定している導電具に対して、直接間接の別無くバネ材の一端で一方的に電線端末を押し圧し、接続導電する構造であった。（特許文献１、特許文献２参照）。
【特許文献１】特許公開２０００−８２５３２号
【特許文献２】特許公開平７−３１２２３６号
【発明の開示】
【発明が解決しようとする課題】
【０００３】
上記の従来製品には次のような問題点があった。
屋内分岐配線工事においては、一定の狭いボックス内に多数の電線コネクタを収納しなければならなかった。このため、接続する電線コネクタの大きさには制約があり、押し圧するバネ材の長さにもおのずと限界がある。
従って、許される範囲で短く形成される従来のバネ材では弾動巾が狭く、使用時に電線端末の着脱を数回以上繰り返し又は電線端末の線径に大差があると、持てる押し圧力及び弾動巾の限界を越え劣化の進行速度が早まる恐れがあつた。  そこで、高電圧化が進行する現代建築物の配線に使用しても、余裕のある導電機能をもって対応できる押圧力と弾動巾を有するコネクタを必要とする時代が到来した。
本願は、以上の問題点を解決するためのものである。
本件出願の目的は、対向状に配置された左右一対の導電板の間に対して複数の電線端末を挿入することにより、それらの相互間に適切な導通が得られるようにした電線コネクタを提供しようとするものである。
他の目的は、対向状に配置された左右一対の導電板の間に複数の電線端末を差し込んだ状態では、複数の電線端末に対して両側から導電板が当たり導通面積が倍加するようにした電線コネクタを提供しようとするものである。
他の目的は、複数の電線端末に対して両側から導電板が当たり導通面積が倍加するようにしたものであっても、それらの導電板は、両方の外側から夫々別体のバネ材によって中央側へ向けて付勢されるので、その押し圧力は大きくなり、接触状態が長寿命に維持されるようにした電線コネクタを提供しようとするものである。
他の目的は、複数の電線を挿入する場合は勿論のこと挿入し終えてからも何かと便利な 電線コネクタを提供しようとするものである。
他の目的及び利点は図面及びそれに関連した以下の説明により容易に明らかになるであろう。
【課題を解決するための手段】
【０００４】
本願発明における電線コネクタは、対向状に配置された左右一対の導電板とそれらの導電板における夫々の底部側相互を連結する円弧状に形成されている導電具底部とからなる導電具と、対向状に配置された左右一対のバネ材とそれらのバネ材における夫々の底部側相互を連結する円弧状に形成されているバネ具底部とからなるバネ具とを備え、上記導電具と、バネ具とは、左右一対の導電板の夫々の外側に夫々バネ材が位置し、導電具底部の外側にバネ具底部が位置する状態にしてあり、しかも上記導電具も、バネ具も共に導電板相互の間隔と、バネ材相互の間隔が夫々電線端末の受入部側が窄められ、電線端末が受入部側から上記左右一対の導電板の内側に挿入された場合には、導電板相互の間隔が、上記導電板の夫々の外側に位置して窄める力を備えるバネ材の力に抗して押し広げられ、上記左右一対の導電板はバネ材の両側からの窄める力を受けて電線端末の両側に密着するようにしたものである。
【０００５】
また好ましくは、絶縁材料で中空筒状に形成されている絶縁キャップと、
対向状に配置された左右一対の導電板とそれらの導電板における夫々の底部側相互を連結する円弧状に形成されている導電具底部とからなる導電具と、
対向状に配置された左右一対のバネ材とそれらのバネ材における夫々の底部側相互を連結する円弧状に形成されているバネ具底部とからなるバネ具とを備え、
上記導電具と、バネ具とは、左右一対の導電板の夫々の外側に夫々バネ材が位置し、導電具底部の外側にバネ具底部が位置する状態で、絶縁キャップの中空筒状部に収納してあり、
絶縁キャップ内の収納状態においては上記導電具も、バネ具も絶縁キャップの開口部側が窄められ、電線端末が開口部側から上記左右一対の導電板の内側に挿入された場合には、導電板相互の間隔が、上記導電板の夫々の外側に位置して窄める力を備えるバネ材の力に抗して押し広げられ、上記左右一対の導電板はバネ材の両側からの窄める力を受けて電線端末の両側に密着するようにしてあり、
さらに、バネ具の一部からは、左右一対の導電板の内側に挿入される電線端末に向け、上記導電具を貫通させた状態で、バネ具と一体材で形成される抜止バネ片を突出させ、抜止バネ片の先端を上記電線端末に押し当てて電線端末の抜止めを施すようにしたものであればよい。
【０００６】
また好ましくは、上記左右一対の導電板における少なくとも一方の導電板の側には上下方向に長い挿通孔を設け、 上記左右一対のバネ材における少なくとも一方のバネ材の側には、バネ材の側の一部を内側に向けて切り起こして形成された抜止バネ片を備えさせ、左右一対の導電板の夫々の外側に夫々バネ材を位置させ、導電具底部の外側にバネ具底部を位置させた状態では、上記バネ材の側の一部を内側に向けて切り起こして形成された抜止バネ片が、上記上下方向に長い挿通孔を通して導電具の内側に位置し、抜止バネ片の先端が、導電具の内側に挿入される電線端末に押し当たって電線端末の抜止めを施すようにしたものであればよい。
【発明の効果】
【０００７】
以上のように本願発明にあっては、電線端末２１が左右一対の導電板１、２の内側に挿入された場合には、導電板相互の間隔が、導電板１、２の夫々の外側に位置して窄める力を備えるバネ材１１，１２の力に抗して押し広げられ、上記左右一対の導電板はバネ材の両側からの窄める力を受けて電線端末の両側に夫々密着するようにしてあるから、電線端末２１は、二つの導電板１、２に対し、接触面積を広げた状態で接触する効果がある。それと共に左右一対の導電板１、２の間における窄める力が弱くても、大きな窄める力を発揮することができ、電線の導通状態は良好なものに維持できる効果がある。
【０００８】
導電板１、２を挟み付ける為の左右一対のバネ材１１，１２は、夫々の底部側相互を円弧状に形成されているバネ具底部で連結することによって、その折り返し状になる連結部を弾動元とするものであるから、そこの区間は比較的長くなり、大きな弾力性を発揮し、かつ弾力性を長い間、維持することのできる効果もある。
【発明を実施するための最良の形態】
【０００９】
以下、本願実施の形態を図面によって説明する。図１乃至図６において、
Ａは絶縁性のある合成樹脂材料で筒状に形成された絶縁キャップを示し、１８は露出させた電線端末２１を挿入するための開口部、２２は内側に電線の絶縁被覆部分20bを収めるための被覆部分収容空間22aを備える導入部、
７はガイド片で、図１に示されるように絶縁材料で中空筒状に形成されている絶縁キャップの内側において、キャップＡの開口部１８から底側Ａ1に向かう途中の両側の内壁に対し、中心部に向けて一体材でもって張り出す状態に備えさせてある。両側の内壁から突出するガイド片７、７の間には電線端末２１の挿入を可能に間隙が設けてある。
【００１０】
ガイド片７の底側Ａ1における収納室８には、導電具Ｂの外側にバネ具Ｃが位置する状態に構成されている導電器具Ｄを、導電具Ｂの開口部３の側がガイド片７の側に位置する状態で存置させ、上記ガイド片７のキャップ開口部１８の側は、キャップ開口部１８から上記導電器具Ｄに向けて挿入される電線端末２１を導電具Ｂの開口部３に向けて案内できるように傾斜面7aに形成してある。
傾斜面7aの反対面7bは図示の如く底側Ａ1に向けて傾斜面にしてあり、導電具Ｂの左右開口部３を傾斜部分7bの内側に夫々位置させ得るように空間が形成されている。従って、導電具Ｂの左右開口部３は傾斜部分7bの内側の空間に位置し、時にはそこで支えられ、開口部３の揺らぎは阻止され、使用前における導電器具Ｄを安定した状態で維持する。
【００１１】
絶縁キャップＡにおける底側Ａ1にあっては、下端に導電器具Ｄを抜き差しするための開口孔３３が設けられている。この開口孔３３は製品完成後、絶縁キャップＡと一体材で形成される底部材で塞いでも良い。しかしこの実施例においては透明材で、開放、閉鎖自在に塞ぐように構成する。具体的には図6に示されるように構成する。
底側Ａ1にあっては、嵌合穴３２、３２を対向位置に設ける。開口孔３３に対しては、透明性のある合成樹脂で、開口孔３３よりもやや小さく形成されている透明キャップ２３が図１のように弾力的に嵌め込まれる。その場合、透明キャップ２３における両側でかつ嵌合穴３２、３２に位置に対応させ得る位置に設けられている嵌合用固定爪２５、２５が嵌合穴３２、３２に弾力的に嵌り込み、両者は着脱自在に一体化する。なお２５b、２５aは嵌合操作を楽にするための傾斜面と、係り合いを正確にするための水平面である。
２４は、電線端末２１の先端を導電器具Ｄから突出させた場合に位置させるための凹部である。また斯かる構成に伴い、導電器具Ｄにおける導電具Ｂとバネ具Ｃにあっては夫々電線端末２１の先端を突出させるための端末通過孔４と端末通過孔１６が形成されている。
なお上記弾力的な嵌合いを期待する為の材料としては、絶縁キャップＡか透明キャップ２３に弾力性がある材料のもの用いると良い。また絶縁キャップＡの断面形状は、図５に表れているように４角形であるが、この断面形状は丸であっても、多角形であってもよい。
【００１２】
２３は透明キャップであり、収納室８に導電器具を収納後キャップし、外部から電線端末２１の差し込み状態の目視点検をより鮮明にする。凹部２４は、電線端末２１の先端がバネ具底部１０を通過して突き出し、外部からの目視点検をより鮮明にするとともに、バネ具底部１０がはまり安定する。
【００１３】
Ｂは導電具であり、図２に現れているように平板状の導電材（任意周知の材料例えば銅板）を用い、プレス手段を用いて一枚の板における中間部B1を二つ折りにし、上端３をやや広げ、図２のように少し底部９の側に下がった上部位置をすばめたもので、その導電具の底部９となる部分を弾動元として用いる。
この導電具Ｂの構成は、挿入予定の電線端末２１の太さよりも狭い間隔でもって対向状に配置された左右一対の導電板１、２と、それらの導電板１、２における下部で電線に対接しない部分であって夫々の底部側となる部分の相互を連結する円弧状（Ｕ字状）に形成されている導電具底部９の３つの要素（一体材または別部材を接合してなる）とからなる。
導電具Ｂの隣接方向（図４の奥行き方向）には右導電体１と左導電体２とが一体材を用いて複数連続的に形成してある。６は右導電板１と左導電板２との夫々上部側の１部を分離するためのスリットであり、電線端末２１、２１を図５に示されているように断面が凹状の接続溝１９の上部で一線づつ個々に抱き抱え得るように、かつ個々の相互に対向する左導電体２及び個々の相互に対向する右導電体１が機能的に広狭分離する状態で作動するようにしてある。なお、隣接相互の導通は導電具底部９でも行われる。
【００１４】
Ｃはバネ具であり、バネ材（任意周知の材料例えば弾力性の大きいステンレス又はバネ鋼）を用い、プレス手段を用いて一枚の板における中間部C1を二つ折りに折り曲げ形成し、上端１３をやや広げ、図３のように少し底部１０の側に下がった上部位置を内側に窄めたものである。そのバネ具の底部１０となる湾曲部分（Ｕ字状）を弾動元として用いる。
このバネ具Ｃの構成は、対向状に配置された左右一対のバネ材１１、１２と、それらのバネ材１１、１２において導電板１、２を挟み付け、電線に圧接させる働きをする部分の下部、即ち、夫々の底部側の下部の部分相互を連結する円弧状（Ｕ字状）に形成されているバネ具底部１０の３つの要素（一体材または別部材を接合してなる）とからなる。
バネ具Ｃの隣接方向（図４の奥行き方向）には右バネ体１１と左バネ体１２とを一体材を用いて複数連続的に形成している。１７は右バネ体１１と左バネ体１２との上部側の１部を機能的に分離するためのスリットであり、電線端末２１、２１を図５に示されているように、内側の導電具Ｂにおける断面が凹状の接続溝１９、１９の上部で一線づつ個々に抱き抱え得るように、かつ個々の左バネ体１２及び個々の右バネ体１１が機能的に広狭別々に分離する状態で内側の導電具Ｂの夫々を弾力的に挟持できるようにしてある。
なお上記導電具Ｂも、バネ具Ｃも図２、図３に示されているように隣接方向に２個の導電体及び２個のバネ体を並べ、複数連設形成してあるが、これらは、１個の導電体の内側に複数の電線端末２１を挿入することができるように構成されている場合は１個の導電体及び１個のバネ体で構成してあっても良いし、３個以上連設して形成したものであっても良い。
【００１５】
絶縁キャップＡの中空筒状の収納部８には、図１に示されているように上記導電具Ｂと、バネ具Ｃとは、左右一対の導電板１、２の夫々の外側に、夫々バネ材１１、１２が位置し、導電具底部９の外側にバネ具底部１０が夫々重合状に位置する状態で収納してある。
このような絶縁キャップ内への収納状態においては、図１（Ｂ）のように上記導電具Ｂも、バネ具Ｃも絶縁キャップの開口部１８の側が窄められている。電線端末２１が開口部１８側から図１（Ａ）のように上記左右一対の導電板１、２の内側に挿入された場合には、導電板相互の間隔が、上記導電板の夫々の外側に位置して窄める力を備えるバネ材１１、１２の力に抗して押し広げ、上記左右一対の導電板はバネ材の両側からの窄める力を受けて電線端末の両側に密着し、良好な導通状態を得る。
なお、左右一対の導電板１、２の夫々の外側に、夫々バネ材１１、１２を位置させ、導電具底部９の外側にバネ具底部１０を位置させる手段は、両者を図４のような位置関係にし、導電具底部９をバネ具Ｃの内側に下降させること、それと同時に、バネ材１１、１２の開口部１３をバネ具Ｃ広げることにより、両者の位置関係は図１（Ｂ）のようになる。この合体させる過程において、抜止バネ片１４が存在していると次のようになる。   
【００１６】
先ず抜止バネ片１４に関する事項について説明する。
抜止バネ片１４はバネ具Ｃの一部から左右一対の導電板の内側に挿入される電線端末２１に向け、導電具Ｂの導電板を貫通させた状態で突出させ、抜止バネ片の先端を上記電線端末に押し当てて電線端末２１の抜止めを施すようにしてある。
さらに具体的には上記左右一対の導電板１、２における少なくとも一方の導電板には図２に示されるように上下方向に長い矩形状の挿通孔５を設ける。
上記左右一対のバネ材１１、１２における少なくとも一方のバネ材には、バネ材の一部を図１のように内側に向けて切り起こして抜止バネ片１４を形成する。１５は抜止バネ片１４を切り抜いた抜き孔、14aは抜止バネ片１４の元部を示す。抜止バネ片１４の下向きの傾斜角は、電線端末２１挿入時、電線端末２１が押し開いて通過し易くすると共に、その先端が電線端末２１を直接押し圧し軽く食い入り、図１（Ａ）の状態において押し当てた電線端末２１の抜止め効果が大きくなるような角度にする。
なお矩形状の挿通孔５の大きさは、図４において両者Ｂ、Ｃを合体させる場合、抜止バネ片１４が上下方向に長い矩形状の挿通孔５内に誘導される大きさにしてある。従って、左右一対の導電板の夫々の外側に夫々バネ材を位置させ、導電具底部の外側にバネ具底部を位置させた合体状態では、上記バネ材の一部を内側に向けて切り起こして形成された抜止バネ片１４が、上記上下方向に長い挿通孔５を通して導電具の内側に位置し、抜止バネ片１４の先端が、導電具の内側に挿入される電線端末に押し当たって電線端末の抜止めを施すようにしてある。
【００１７】
電線コネクタの組立は、図示の絶縁キャップＡと、導電具Ｂと、バネ具Ｃとを用意する。導電具Ｂと、バネ具Ｃとは図５を用いて前述したように組合せ、図１に示されるような導電器具Ｄを構成する。絶縁キャップＡに対しては導電器具Ｄを開口部３３から収容室８に向けて挿入し、開口部３３は透明キャップ２３で蓋をする。その場合、導電器具Ｄの上部に位置する上端３、１３はガイド片７における下側の斜面7bの下側の空間に位置し、上端３、３と、上端１３、１３の夫々中心部に位置する漏斗状の受入部Ｄ1が、ガイド片７、７の中間部と一致する。この状態で図１（Ｂ）のようにして上方から電線２０の先端にある電線端末２１を挿入し 、 図１（Ａ）の状態にする。すると導電器具Ｄの上端３、３と、上端１３、１３は開き、導電具Ｂの導電板１、２に内面の全域が電線端末２１に密着し、左右一対のバネ材１１、１２の内面の全域は導電板１、２の外面の全域を内側に向けて強く押圧する。また、抜止バネ片１４の先端は電線端末２１を直接押し圧し軽く食い入る。この状態では電線端末の先端21aの出入り寸法の状態を透明キャップ２３を通して外部から点検することができる。
【００１８】
次に本願実施の形態を示す図面を異なる見地から説明する。
電線コネクタは、限定された大きさ及び長さ以内にしたもので、導電材を用いて細長く二つ折りにし上部をすばめ、左右導電体上部には相対向する接続溝を設け電線端末を一線ごとに抱き抱えるようにし、その上端には導電具開口部を設け電線端末が差込み易くなすとともに、絶縁キャップ内に垂直に定着させるガイド片を設け、同じくバネ具においては、バネ材を用いて細長く二つ折りにし上部をすぼめ、その上部を主に左右から接続溝の背部上部にほぼ合わせた形状になした左右バネ材で抱え押し圧し抱き絞めさせ、その上端にはバネ具口開部を設け、導電具をこれに差し込み装着し、左右バネ材の何れか一方には抜止バネ片を設け電線端末を直接押圧補強するとともに、その先端で抜け止めるように構成して成る導電器具を、絶縁キャップに定着収納する。
導電具収納室に装置した導電器具は、使用前においても定着状態を維持するため、キャップ口開部の奥端部左右に設けたガイド片が導電具開口部の側部上面に位置して支え傾斜を防ぎ、更に、バネ具底部が凹部にはまり傾斜防止を補助し定着収納する。
【００１９】
導電材を用いて細長く二つ折りにし上部をすぼめ、その左右相対向する接続溝で電線端末を抱き抱える導電具を、同じく、バネ材を用いて細長く二つ折りにし上部をすばめ、その左右バネ材は接続溝背部の外形にほば沿う形状になして抱き抱え効果的に押し圧するとともに、左右何れか一方のバネ材に抜止バネ片を設けたバネ具にスッポリ装着した導電器具を、絶縁キャップの収納室に正確且つ安定的に装着した。
【００２０】
弾動元とする導電具底部と接続溝上部との間隔は導電具のほば全長に等しく、片や接続溝上部の背部を押し圧するバネ材上部とバネ具底部との間隔もバネ具のほぼ全長に等しく、したがって導電具及びバネ具共に全長は比較的短くても間隔は長く弾動元の弾動巾が広く、抱き抱え抱き絞める弾動能力に余裕があり、電線端末差込みによる弾動機能が劣化しない。
導電具をバネ具に装着する方法は、導電具底部をバネ具口開部から無造作に差し込むと、その斜壁に案内され左右のバネ材が押し開かれ接続溝に正確に進入し、その途中で抜止バネ片を押し開き、装着と同時に復元し導電器具ができる。キャップ口開部の奥部に設けたガイド片が、導電具開口部の左右側部上面に位置して支え傾斜を防止し、使用前における導電器具を収納室に定着きせ差し込みを容易にする。
【００２１】
導電具底部９は、弾動元であるとともに正面形状を亀頭形のように先細に形成し、バネ具口開部１３からの差し込み装着を容易にする。１０はバネ具底部であり、弾動元であるとともに正面形状は導電具底部９を包皮可能に亀頭形をなし、凹部２４にはまりガイド片７による支えとともに収納室８内に導電器具を定着きせる。１１は右バネ材であり、接続溝１９背部の形状に合わせた形状になし右導電体１の背部を抱き抱え押し圧する。１２は左バネ材であり、同じく接続溝１９の背部の形状に合わせた形状になしそれを抱き抱え押し圧する。但し、接続溝１９背部の形状に必ずしも合わせずとも押し圧可である。１３はバネ具口開部であり、導電具底部９から差し込み装着し易く斜壁を成す。
１６は端末通過孔であり、電線端末２１の先端が通過する。１７はスリットであり、バネ具の左右側部をスリットし、電線端末２１を個々に押し圧する右バネ材１２及び左バネ材１１を設ける。１８はキャップ口開部であり、電線端末２１を一線づつ差し込む。接続溝１９の形状は半円形に限らず、半楕円形、半角形等任意の形状でも可とし又は左右何れか一方に任意の溝を設け、他方の導電体上部内面形状は平面でも導電可能。２０は被覆電線。
【００２２】
導電具底部９の弾動元と、電線端末２１を抱き抱える接続溝１９上部との間隔は、導電具Ｂのほば全長に等しく長く、したがって導電具底部９に対する負荷が少なく、素材が鋼材など軟質であってもバネ性は劣化せず、したがって着脱を繰り返しても電線端末２１を抱き抱える機能は衰えない。
繰り返して説明すると導電具底部９をバネ具口開部１３から差し込んで装着し、そのバネ具底部１０を弾動元とし、左バネ材１２の上部で左導電体２の背部上部を、右バネ材１１の上部で右導電体１の背部上部を抱き抱えて相互に押し圧し、電線端末２１を左右の接続溝１９で抱き絞めさせる。
【００２３】
バネ具底部１０の弾動元と、接続溝１９の背部を押し圧する右バネ材１１及び左バネ材１２の上部との間隔は、バネ具矢印−Ｂのほぼ全長に等しく、したがって事実上限定されたコネクタの長さの範囲内であっても、弾動元に対する弾動負荷が少なく余裕があり電線端末２１の線径大小の差及び着脱の繰り返しにも劣化しない。
【００２４】
導電具Ｂをバネ具Ｃに装着する工程においては、バネ具口開部１３に、亀頭形をなす導電具底部９を押し着けると斜壁を滑りながら差し込まれ、自動的に抜止バネ片１４を押し開きながら凹部２４まで一挙に進行し止めバネ材１４は復元し装着完了する。
端末通過孔４及び同１６の孔径が電線端末２１の外径より小さく、突き出ない場合であっても、外部からその孔を通して目視点検可能である。  
右導電体１又は左導電体２の何れか一方を固定状態になし、対向する他方の導電体単独で一方的に押し圧する構造であっても押し圧導電可能である。
導電具開口部３の左右上面に、キャップ口開部１８の奥端部左右に設けたガイド片７が位置して支え傾斜を防ぎ、使用前の収納状態を定着させ、電線端末２１を正確且つ容易に差し込むことができる。
【図面の簡単な説明】
【００２５】
【図１】（Ａ）は絶縁キャップの内部に導電器具が収まっており、さらにその内側に電線端末が挿入されている状態を示す図２のＩ−Ｉ位置縦断面図。  （Ｂ）は絶縁キャップの内部に導電器具が収まっており、さらにその内側に向けて電線端末を挿入する寸前の状態を示す図２のＩ−Ｉ位置縦断面図。
【図２】導電具を右側と左側から見た斜視図。
【図３】バネ具を右側と左側から見た斜視図。
【図４】バネ具に導電具を挿入する直前の状態を示す正面図。
【図５】図１のＶ−Ｖ位置縦断面図。
【図６】絶縁キャップの下部と、透明キャップとの嵌合の関係を説明するための一部破断斜視図。
【符号の説明】
【００２６】
Ａ    絶縁キャップ
Ｂ    導電具
Ｃ    バネ具
Ｄ    導電器具
１    右導電体
２    左導電体
３    導電具開口部
４    端末通過孔
５    挿通孔
６    スリット
７    ガイド片
８    収納室
９    導電具底部
１０      バネ具底部
１１      右バネ材
１２      左バネ材
１３      バネ具口開部
１４      抜止バネ片
１５      抜き孔
１６      端末通過孔
１７      スリット
１８      キャップ口開部
１９      接続溝
２０      被覆電線
２１      電線端末
２３      透明キャップ
２４      凹部
【図１】
2006032113.tif 000003
【図２】
2006032113.tif 000004
【図３】
2006032113.tif 000005
【図４】
2006032113.tif 000006
【図５】
2006032113.tif 000007
【図６】
2006032113.tif 000008